(57)【要約】【課題】データ送信端末とデータ受信端末間の経路断を確実に検出する。【解決手段】ネットワークシステム１は、映像データをマルチキャスト転送で送信するデータ送信端末２、複数のパケット中継装置３、映像データを受信するデータ受信端末５、ＢＰＤＵを定期的に送信するルートブリッジ４とがスパニングツリープロトコルを用いたＩＰネットワークで接続される。各パケット中継装置３は、データ送信端末２とルートブリッジ４間の経路上に接続され、予めルートブリッジのルートＩＤが記憶されており、ルートブリッジ４が定期的に出力するＢＰＤＵを受信し、この受信したＢＰＤＵと記憶されたルートＩＤとの比較に基づいて経路の存在の有無を判別し、ルートブリッジ４からのＢＰＤＵを受信しないときには経路が切断されたと判別する。【選択図】                図１
2004165987.tif 000002
【特許請求の範囲】
【請求項１】
所定のデータをマルチキャストで送信するデータ送信端末（２）と、
前記マルチキャストで送信されるデータを受信するデータ受信端末（５）と、該データ受信端末に接続されてＢＰＤＵを定期的に送信するルートブリッジ（４）とがスパニングツリープロトコルを用いたＩＰネットワークで接続されるネットワークシステム（１）に用いられ、
前記データ送信端末と前記ルートブリッジとの間の経路上に接続されるパケット中継装置（３）であって、
予め前記ルートブリッジのルートＩＤを記憶する記憶手段（３ｅ）と、
ＢＰＤＵを受信するＢＰＤＵ受信手段（３ｃ）と、
この受信したＢＰＤＵと前記記憶されたルートＩＤとの比較に基づいて経路の存在の有無を判別する判別手段（３ｄ）とを備えたことを特徴とするパケット中継装置。
【請求項２】
スパニングツリープロトコルを用いたＩＰネットワークで接続されるネットワークシステム（１）であって、
所定のデータをマルチキャストで送信するデータ送信端末（２）と、
前記マルチキャストで送信されるデータを受信するデータ受信端末（５）と、該データ受信端末に接続され、ＢＰＤＵを定期的に送信するルートブリッジ（４）と、
前記データ送信端末と前記ルートブリッジとの間の経路上に接続され、予め前記ルートブリッジのルートＩＤを記憶する記憶手段（３ｅ）と、ＢＰＤＵを受信するＢＰＤＵ受信手段（３ｃ）と、この受信したＢＰＤＵと前記記憶されたルートＩＤとの比較に基づいて経路の存在の有無を判別する判別手段（３ｄ）とを含むパケット中継装置（３）とを備えたことを特徴とするネットワークシステム。
【請求項３】
前記データ送信端末（２）が映像データをマルチキャスト送信する端末からなり、前記データ受信端末（５）が前記映像データを受信して該映像データに基づく映像を表示する端末からなる請求項２記載のネットワークシステム。
【発明の詳細な説明】
【０００１】
【発明の属する技術分野】
本発明は、例えば河川情報や道路情報などの各種情報に関するデータを集中管理するネットワークシステムにおいて、特に映像データをＩＰパケット形式でマルチキャストで送信して、その映像データを表示させる際に用いられるパケット中継装置及びネットワークシステムに関する。
【０００２】
【従来の技術】
例えば河川情報（河川の水位）や道路情報（トンネル内の火災や障害の有無）などの各種情報に関するデータを２４時間３６５日常に集中管理するシステムとして、監視対象からの各種情報をＩＰパケット形式でマルチキャストで送信して管理事務所などで集中管理するネットワークシステムが従来より知られている。
【０００３】
図５はこの種のネットワークシステムとして、例えば河川情報として水位を示す映像データを管理事務所の表示端末に表示させて集中監視する場合の一例を示している。
【０００４】
図５に示すネットワークシステム５１は、映像データ送信端末５２、複数台のパケット中継装置５３（５３Ａ，５３Ｂ，５３Ｃ，５３Ｄ）、ルートブリッジ５４、表示端末５５がスパニングツリープロトコルを用いたＩＰネットワークで接続されたものである。
【０００５】
映像データ送信端末５２は、監視対象となる河川の近傍に配設され、例えば河川の水位を撮影するカメラなどで構成される。この映像データ送信端末５２は、河川の水位を示す映像データをマルチキャストでＩＰネットワーク上に送信している。
【０００６】
複数台のパケット中継装置５３Ａ〜５３Ｄは、例えばレイヤ２スイッチで構成され、通常経路Ｒ１と冗長経路Ｒ２が形成されるべく、映像データ送信端末５２とルートブリッジ５４との間に接続される。図５の例では、映像データ送信端末５２→パケット中継装置５３Ａ→パケット中継装置５３Ｂ→ルートブリッジ５４→表示端末５５の経路が通常経路Ｒ１を形成している。また、映像データ送信端末５２→パケット中継装置５３Ａ→パケット中継装置５３Ｃ→パケット中継装置５３Ｄ→ルートブリッジ５４→表示端末５５の経路が冗長経路Ｒ２を形成している。これらパケット中継装置５３Ａ〜５３Ｄは、映像データ送信端末５２から送信される映像データをＩＰパケット形式で転送している。
【０００７】
ルートブリッジ５４は、映像データ送信端末５２からの映像データを集中監視する管理事務所に配設される。ルートブリッジ５４は、通常経路Ｒ１又は冗長経路Ｒ２を経由して映像データ送信端末５２からマルチキャストで送信される映像データを含むＩＰパケットを受信し、表示端末５５に転送している。
【０００８】
表示端末５５は、ルートブリッジ５４に接続されて管理事務所に配設され、ルートブリッジ５４から転送された映像データを受信し、それに基づいて画像を表示している。
【０００９】
上記のように構成されるネットワークシステム５１において、映像データ送信端末５２と表示端末５５との間をＩＰネットワークで接続する際、冗長経路Ｒ２を確保するためにスパニングツリープロトコルが利用される。
【００１０】
この際、映像データ送信端末５２は、表示端末５５に対し、マルチキャストにより映像データを一方的に送信している。このため、従来、映像データ送信端末５２は、特に表示端末５５に映像データが届いたか否かの送達確認を行なっていなかった。
【００１１】
【発明が解決しようとする課題】
ところで、映像データ送信端末５２からの映像データが転送される通常経路Ｒ１のパス（例えば図５のパケット中継装置５３Ｂとルートブリッジ５４との間のパス）が切断されると、スパニングツリープロトコルにより、上記通常経路Ｒ１に代わる冗長経路Ｒ２が使用される。図５の例では、通常経路Ｒ１を使用しているときに設定されているパケット中継装置５３Ａの閉鎖ポートを開いて冗長経路Ｒ２を用いる。これにより、映像データ送信端末５２からの映像データが冗長経路Ｒ２を経由して表示端末５５に転送されることになる。
【００１２】
しかしながら、図５の従来のネットワークシステム５１では、通常経路Ｒ１のパスと冗長経路Ｒ２のパスが両方とも切断される（例えば、パケット中継装置５３Ｂとルートブリッジ５４との間のパス及びパケット中継装置５３Ｃとパケット中継装置５３Ｄとの間のパスが両方とも切断された場合）と、映像データ送信端末５２からの映像データが表示端末５５に届かなくなる。しかも、図５の従来のネットワークシステム５１では、映像データ送信端末５２と表示端末５５との間で送達確認を行なっていないので、映像データが表示端末５５へ届いていないことを映像データ送信端末５２が判断できなかった。その結果、通常経路Ｒ１のパスと冗長経路Ｒ２のパスが両方とも切断された場合には、表示端末５５に映像データが表示されなくなり、経路が復旧するまでの間、監視対象となる河川の状況を把握することができなかった。
【００１３】
そこで、上記問題を解消する構成として、図６に示すようなネットワークシステム６１が考えられる。なお、図５のネットワークシステム５１と同一の構成要素には同一番号を付し、その説明を省略している。
【００１４】
図６に示すネットワークシステム６１では、図５のネットワークシステム５１の構成に加え、映像データ送信端末５２が接続されるネットワーク中継装置５３Ａに監視端末６２（６２Ａ）が接続され、さらに表示端末５５が接続されるルートブリッジ５４にも監視端末６２（６２Ｂ）が接続されている。これら監視端末６２Ａ，６２Ｂは、映像データ送信端末５２と表示端末５５との間の経路の有無を確認している。さらに説明すると、例えば監視端末６２Ａ（又は６２Ｂ）から定期的に監視信号を送信し、この送信された監視信号を監視端末６２Ｂ（又は６２Ａ）が受信すると、その経路の存在を確認している。このように、監視端末６２Ａ，６２Ｂ間で監視信号を送受信することで経路断の有無を判別できる。
【００１５】
しかしながら、上記ネットワークシステム６１では、経路のパスを確認するため、監視端末６２を映像データ送信端末５２側と表示端末５５側のそれぞれに別途設置する必要がある。また、監視信号を送受信するためには、僅かながらでもトラフィックが生じる。従って、映像データ送信端末５２や表示端末５５を複数箇所に設置して複数経路を監視した場合には、その分だけトラフィックが増大するという問題がある。
【００１６】
そこで、本発明は、上記問題点に鑑みてなされたものであり、監視端末を別途設置することなく、簡易な構成でデータ送信端末とデータ受信端末との間の経路断を確実に検出することができるパケット中継装置及びネットワークシステムを提供することを目的としている。
【００１７】
【課題を解決するための手段】
上記目的を達成するため、請求項１の発明は、所定のデータをマルチキャストで送信するデータ送信端末２と、
前記マルチキャストで送信されるデータを受信するデータ受信端末５と、
該データ受信端末に接続されてＢＰＤＵを定期的に送信するルートブリッジ４とがスパニングツリープロトコルを用いたＩＰネットワークで接続されるネットワークシステム１に用いられ、
前記データ送信端末と前記ルートブリッジとの間の経路上に接続されるパケット中継装置３であって、
予め前記ルートブリッジのルートＩＤを記憶する記憶手段３ｅと、
ＢＰＤＵを受信するＢＰＤＵ受信手段３ｃと、
この受信したＢＰＤＵと前記記憶されたルートＩＤとの比較に基づいて経路の存在の有無を判別する判別手段３ｄとを備えたことを特徴とする。
【００１８】
請求項２の発明は、スパニングツリープロトコルを用いたＩＰネットワークで接続されるネットワークシステム１であって、
所定のデータをマルチキャストで送信するデータ送信端末２と、
前記マルチキャストで送信されるデータを受信するデータ受信端末５と、
該データ受信端末に接続され、ＢＰＤＵを定期的に送信するルートブリッジ４と、
前記データ送信端末と前記ルートブリッジとの間の経路上に接続され、予め前記ルートブリッジのルートＩＤを記憶する記憶手段３ｅと、ＢＰＤＵを受信するＢＰＤＵ受信手段３ｃと、この受信したＢＰＤＵと前記記憶されたルートＩＤとの比較に基づいて経路の存在の有無を判別する判別手段３ｄとを含むパケット中継装置３とを備えたことを特徴とする。
【００１９】
請求項３の発明は、請求項２のネットワークシステムにおいて、前記データ送信端末２が映像データをマルチキャスト送信する端末からなり、前記データ受信端末５が前記映像データを受信して該映像データに基づく映像を表示する端末からなる。
【００２０】
【発明の実施の形態】
図１は本発明によるパケット中継装置を含むネットワークシステムの概略構成の１実施の形態を示す図、図２は本発明によるパケット中継装置のブロック構成図、図３は本発明によるネットワークシステムにおいてルートブリッジが定期的に送信するＢＰＤＵ（ｂｒｉｄｇｅ  ｐｒｏｔｏｃｏｌ  ｄａｔａ  ｕｎｉｔ）  のデータフォマットを示す図、図４は本発明によるパケット中継装置の経路断の有無を検出する際の処理内容を示すフローチャートである。
【００２１】
図１に示すように、本例のネットワークシステム１は、データ送信端末２、複数台のパケット中継装置３（３Ａ，３Ｂ，３Ｃ，３Ｄ）、ルートブリッジ４、データ受信端末５がスパニングツリープロトコルを用いたＩＰネットワークで接続されている。さらに、データ送信端末２とパケット中継装置３Ａとの間には切替装置６が接続され、切替装置６には無線装置７（７Ａ）が接続されている。また、ルートブリッジ４には無線装置７（７Ｂ）が接続されている。
【００２２】
データ送信端末２は、監視対象（例えば河川）の近傍に配設され、監視対象の映像（例えば河川の水位）を撮影するカメラなどで構成される。このデータ送信端末２は、監視対象の映像データ（例えば河川の水位を示す映像）をマルチキャストでＩＰネットワーク上に送信している。
【００２３】
複数台のパケット中継装置３Ａ〜３Ｄは、例えばレイヤ２スイッチで構成され、通常経路Ｒ１と冗長経路Ｒ２が形成されるべく、データ送信端末２とルートブリッジ４との間に接続される。図１の例では、データ送信端末２→パケット中継装置３Ａ→パケット中継装置３Ｂ→ルートブリッジ４→データ受信端末５の経路が通常経路Ｒ１を形成している。また、データ送信端末２→パケット中継装置３Ａ→パケット中継装置３Ｃ→パケット中継装置３Ｄ→ルートブリッジ４→データ受信端末５の経路が冗長経路Ｒ２を形成している。これらパケット中継装置３Ａ〜３Ｄは、データ送信端末２から送信される映像データをＩＰパケット形式で転送している。
【００２４】
ここで、さらに上記パケット中継装置３の構成について図２を参照しながら説明する。図２に示すように、パケット中継装置３は、インタフェース部３ａ、レイヤ２スイッチ部３ｂ、ＢＰＤＵパケット検出部（ＢＰＤＵ受信手段）３ｃ、スパニングツリー管理部（判別手段）３ｄ、記憶部（記憶手段）３ｅ、タイマ３ｆ、ＢＰＤＵパケット送出部３ｇ、管理部３ｈ、アラーム信号発生部３ｉを備えて概略構成される。
【００２５】
インタフェース部３ａは、イーサネット（Ｒ）とインタフェースするもので、イーサネット（Ｒ）よりパケットを受信する際に、パケット内のＣＲＣ、長さをチェックし、適合しない場合は破棄している。また、イーサネット（Ｒ）へパケットを送信する際には、パケットにＣＲＣを付加している。
【００２６】
レイヤ２スイッチ部３ｂは、インタフェース部３ａのあるポートより受信したパケットをどのインタフェース部３ａのポートへ転送するかを判断し、パケットを転送している。
【００２７】
ＢＰＤＵパケット検出部３ｃは、図３に示すようなフォーマット構成のＢＰＤＵパケットを検出し、スパニングツリー管理部３ｄに送出している。
【００２８】
ここで、ＢＰＤＵパケットについて説明する。ＢＰＤＵパケットは、スパニングツリープロトコルで、ループの検出を行い、論理的ループを切断するためのパケットであり、図３に示すフォーマット構成となっている。図３において、プロトコルＩＤは、「０ｘ００００」であればスパニングツリーのＩＤを示している。プロトコルバージョンは、プロトコルのバージョンを示している。ＢＰＤＵタイプは、「０ｘ００」であればＣｏｎｆｉｇｕｒａｔｉｏｎ  ＢＰＤＵを示し、「０ｘ０１」であればトポロジ変更通知ＢＰＤＵを示している。フラグは、ビット７が「Ｔｏｐｏｌｏｇｙ  Ｃｈａｎｇｅ  Ａｃｋｎｏｒｅｄｇｅ  Ｆｌａｇ  」を示し、ビット０が「Ｔｏｐｏｌｏｇｙ  Ｃｈａｎｇｅ  Ｆｌａｇ」を示している。ルートＩＤは、ルートブリッジ４のブリッジＩＤを示している。ルートコストは、ＢＰＤＵを受信したブリッジ（パケット中継装置３）からルートブリッジ４までのコスト値を示している。通常、リンクコスト（ブリッジ間のコスト）は、１０００／データレート（Ｍｂｐｓ）で示され、ルートブリッジ４はルートコスト＝０で送信し、代表ブリッジ（パケット中継装置３）はルートポートで受信したＢＰＤＵのルートコスト値＋リンクのコスト値をＤｅｓｉｇｎａｔｅｄポートへ送信する。ブリッジＩＤは、ＢＰＤＵを送信するブリッジ（パケット中継装置３）のブリッジＩＤを示している。ポートＩＤは、ポート番号とポート優先度よりなるＩＤである。Ｍｅｓｓａｇｅ  Ａｇｅ  は、Ｃｏｎｆｉｇｕｒａｔｉｏｎ  ＢＰＤＵのＡｇｅ  （年）であり、ルートブリッジ４によって作られたＣｏｎｆｉｇｕｒａｔｉｏｎ  ＢＰＤＵ発生からの時間を示している。ブリッジ（パケット中継装置３）は、Ｍａｘ  エイジを越えたＭｅｓｓａｇｅ  Ａｇｅ  を受信した場合には、廃棄している。Ｍａｘ  Ａｇｅ  は、タイムアウト値を示している。Ｈｅｌｌｏ  Ｔｉｍｅは、ルートブリッジ４がＢＰＤＵを送出する間隔であり、１／２５６秒単位で示される。Ｆｏｒｗａｒｄｉｎｇ  Ｄｅｌａｙは、Ｌｉｓｔｅｎｉｎｇ  状態→Ｌｅａｒｎｉｎｇ状態、Ｌｅａｒｎｉｎｇ状態→Ｆｏｒｗａｒｄｉｎｇ状態へ状態変化するための時間であり、トポロジ変更時には、学習テーブルのエージングタイムにも使用される。
【００２９】
スパニングツリー管理部３ｄは、ＢＰＤＵパケット検出部３ｃから受信したＢＰＤＵより、スパニングツリープロトコルに基づいてスパニングツリー処理を行う。そして、このスパニングツリー処理の結果、ポートをブロッキング、リスニング、ラーニング、フォワーディングのいずれかの状態に設定する。また、スパニングツリー管理部３ｄは、代表ポートに対し、ＢＰＤＵを処理して送出している。さらに、スパニングツリー管理部３ｄは、受信したＢＰＤＵが指定されたルートブリッジ４から送信されたものであるかを記憶部３ｅに記憶された情報に基づいて判断している。そして、この判断の結果、ルートブリッジ４から送信されたものでない場合には、管理部３ｈへアラーム情報を通知している。
【００３０】
記憶部３ｅには、予め指定されたルートブリッジＩＤ情報が記憶されている。例えば図１のネットワークシステム１を構築した場合には、ルートブリッジ４のルートブリッジＩＤが記憶部３ｅに記憶される。
【００３１】
タイマ３ｆは、スパニングツリーで使用する時間（例えば転送遅延時間等）を計算している。
【００３２】
ＢＰＤＵパケット送出部３ｇは、図３に示すようなフォーマット構成のＢＰＤＵパケットを送信している。
【００３３】
管理部３ｈは、不図示の入力部の操作により入力されたルートブリッジＩＤ情報を記憶部３ｅに設定している。また、管理部３ｈは、スパニングツリー管理部３ｄより受信したアラーム情報により、アラーム信号発生部３ｉへアラーム情報を通知している。
【００３４】
アラーム信号発生部３ｉは、管理部３ｈからのアラーム情報により、アラーム信号を発生している。
【００３５】
ルートブリッジ４は、ＯＳＩモデル第３層（ネットワーク層）のプロトコルを処理するルータやマルチレイヤスイッチ等で構成される。このルートブリッジ４は、データ送信端末２からの映像データを集中監視する管理事務所に配設される。ルートブリッジ４は、通常経路Ｒ１又は冗長経路Ｒ２を経由してデータ送信端末２からマルチキャストで送信される映像データを含むＩＰパケットを受信し、ＩＰパケット内の映像データをデータ受信端末５に出力している。
【００３６】
データ受信端末５は、管理事務所に配設され、ルートブリッジ４を介して接続されている。このデータ受信端末５は、ルートブリッジ４からの映像データに基づいて画像を表示している。また、データ受信端末５は、切替装置６の接点が無線装置７Ａ，７Ｂ側に切り替えられているときに、データ送信端末２から無線で送信される映像データを受信し、この受信した映像データに基づいて画像を表示している。
【００３７】
切替装置６は、例えばリレーなどで構成され、データ送信端末２とパケット中継装置３Ａとの間に設けられる。この切替装置６は、通常経路Ｒ１又は冗長経路Ｒ２が存在するとき、データ送信端末２とパケット中継装置３Ａを接続するように接点が切り替えられている。これに対し、切替装置６は、通常経路Ｒ１のパスと冗長経路Ｒ２のパスが両方とも切断されたときに、アラーム信号発生部３ｉからのアラーム信号をタイミング信号とし、データ送信端末２と無線装置７Ａを接続するように接点が切り替えられる。
【００３８】
無線装置７Ａは、切替装置６の接点がデータ送信端末２との間を接続しているときに、データ送信端末２から送信される映像データを無線により送信している。また、無線装置７Ｂは、無線装置７Ａから送信される映像データを受信し、この受信した映像データをルートブリッジ４に送出している。
【００３９】
次に、上記のように構成されるパケット中継装置３を含むネットワークシステム１において、データ送信端末２からマルチキャストで送信される映像データをデータ受信端末５に転送する際の各パケット中継装置３Ａ〜３Ｄの処理動作について図４のフローチャートを参照しながら説明する。
【００４０】
各パケット中継装置３は、ＢＰＤＵを受信すると（ＳＴ１）、受信したＢＰＤＵのルートＩＤが指定されたものか否かを判別する（ＳＴ２）。すなわち、受信したＢＰＤＵのルートＩＤが予め記憶部３ｅに記憶されたルートＩＤと一致するか否かを判別する。そして、受信したＢＰＤＵのルートＩＤが指定されたものと判断すると（ＳＴ２−Ｙｅｓ）、経路の存在を認識し、スパニングツリー処理に移行する（ＳＴ３）。そして、各パケット中継装置３は、受信したＢＰＤＵのブリッジＩＤを自分のブリッジＩＤに書き換え、ルートコストを再計算して書き換えた後、次のパケット中継装置３に送信する。
【００４１】
上記のように経路の存在が認識され、通常経路Ｒ１又は冗長経路Ｒ２のパスが切断されていないと判断すると、データ送信端末２からマルチキャストで送信される映像データは、ＩＰネットワーク上のパスの切断状況に応じて設定された通常経路Ｒ１又は冗長経路Ｒ２を経由してデータ受信端末５に転送されることになる。
【００４２】
これに対し、受信したＢＰＤＵのルートＩＤが指定されたものでないと判断すると（ＳＴ２−Ｎｏ）、アラームを発生する（ＳＴ４）。そして、アラームをトリガとして切替装置６のリレーが駆動され接点が無線装置７Ａ側に切り替えられ（ＳＴ５）、無線装置７Ａ，７Ｂでデータ送信端末２からのデータの送受信を行う。また、切替装置６の接点が無線装置７Ａ側に切り替えられると、上述したスパニングツリー処理（ＳＴ３）に移行する。
【００４３】
このように、本発明は、データ受信端末５である表示端末がルータ（ルートブリッジ４）の設置場所近辺にあり、ルータが通常、ルートブリッジとなり、冗長経路を構成する際にスパニングツリープロトコルを使用することに着目したものである。
【００４４】
そして、スパニングツリープロトコルでは、ルータ（ルートブリッジ４）から定期的にＢＰＤＵを送信するので、そのＢＰＤＵの受信を検出することにより、データ送信端末２とデータ受信端末５との間の経路（複数台のパケット中継装置３Ａ〜３Ｄとルートブリッジ４間の経路）が存在することを検出している。
【００４５】
また、ルータ（ルートブリッジ４）からのＢＰＤＵを受信しない場合には、スパニングツリー処理によって、パケット中継装置３がルータ（ルートブリッジ４）に成り代わってＢＰＤＵを送信する。その際、そのパケット中継装置３は、ＢＰＤＵのルートＩＤに自らのブリッジＩＤを書き込み、他のパケット中継装置３及び自らにＢＰＤＵを送信する。そのＢＰＤＵを受信したパケット中継装置３は、ＢＰＤＵのルートＩＤと予め記憶されたルートＩＤとが一致しないことを判別し、データ送信端末２とデータ受信端末５との間の経路（複数台のパケット中継装置３Ａ〜３Ｄとルートブリッジ４間の経路）が途切れたことを検出している。
【００４６】
なお、各パケット中継装置３Ａ〜３Ｄに対して、管理事務所に設置しているルートブリッジ４のブリッジＩＤを設定することにより、上述した経路断の検出を実現している。
【００４７】
さらに、パケット中継装置３（３Ａ）は、ルータ（ルートブリッジ４）とのパスが途切れた場合に、アラーム信号を送出している。このアラーム信号は、切替装置６のリレーを駆動し、経路を無線装置７（７Ａ）側に切り替える等に使用することができる。
【００４８】
従って、上記のように構成される本例のパケット中継装置３を含むネットワークシステム１によれば、従来のような監視端末を別途設置する必要がなく、また、監視信号を送受信するための余分なトラフィックもなく、経路断を確実に検出することができる。しかも、このような構成を監視対象の各種情報に関するデータ（例えば河川情報や道路情報などのデータ）を集中管理するネットワークシステムに採用すれば、監視対象の端末（カメラ）から画像データをマルチキャストで途絶えることなく管理事務所の表示端末に転送して表示することができ、２４時間３６５日常時監視対象の状況を監視することができる。
【００４９】
【発明の効果】
以上の説明で明らかなように、本発明によれば、従来のような監視端末を別途設置する必要がなく、また、監視端末を別途設置した場合に発生する監視信号を送受信するための余分なトラフィックもなく、簡易な構成でデータ送信端末とデータ受信端末との間の経路断を確実に検出することができる。さらに、切替装置と無線装置とを備えた場合には、経路断を検出後、早期に復旧することができる。
【図面の簡単な説明】
【図１】本発明によるパケット中継装置を含むネットワークシステムの概略構成の１実施の形態を示す図である。
【図２】本発明によるパケット中継装置のブロック構成図である。
【図３】本発明によるネットワークシステムにおいてルートブリッジが定期的に送信するＢＰＤＵのデータフォマットを示す図である。
【図４】本発明によるパケット中継装置の経路断の有無を検出する際の処理内容を示すフローチャートである。
【図５】従来のネットワークシステムの概略構成図である。
【図６】従来のネットワークシステムの他の例を示す概略構成図である。
【符号の説明】
１…ネットワークシステム、２…データ送信端末、３（３Ａ〜３Ｄ）…パケット中継装置、４…ルートブリッジ、５…データ受信端末、Ｒ１…通常経路、Ｒ２…冗長経路。
【図１】
2004165987.tif 000003
【図２】
2004165987.tif 000004
【図３】
2004165987.tif 000005
【図４】
2004165987.tif 000006
【図５】
2004165987.tif 000007
【図６】
2004165987.tif 000008